(57)【特許請求の範囲】
【請求項１】
開渠型または暗渠型の水路断面に近似する形状を有するパネルからなる水路開閉装置本体と、前記水路の側壁と前記水路開閉装置本体のいずれにも沿うように配置された本体固定ジグと、前記本体固定ジグを前記水路側壁に固定するためのジグ固定金物と、前記水路開閉装置本体と前記本体固定ジグを合体するための合体用金物を有し、前記水路を閉塞する機能を具備する水路開閉装置において、前記本体固定ジグにおける長さ方向に垂直な断面は、前記水路開閉装置本体と前記水路側壁に対向する面を有するＬ字型を呈し、前記水路開閉装置本体側および前記水路側に対向する面のそれぞれに、止水ゴムが前記本体固定ジグと一体に取付けられ、さらに前記水路開閉装置本体の下部、または下部及び上部に止水ゴムが取付けられてなることを特徴とする水路開閉装置。
【請求項２】
前記水路開閉装置本体は、すくなくとも１箇所の通水用貫通孔１７と、油圧装置または水圧装置の少なくともいずれかにより前記通水用貫通孔を開閉する機能を具備する加圧作動開閉耐重圧蓋３と、前記通水用貫通孔の部分に補強リブを介して接合されてなる第一の筒管１６とを有することを特徴とする、請求項１に記載の水路開閉装置。
【請求項３】
前記水路開閉装置本体は、水路内に対向して配置される２台の前記水路開閉装置本体間の水路を形成する連結管を接続するための連結管接続用貫通孔８と，当該連結管接続用貫通孔の内周に嵌合する第二の筒管６とを有することを特徴とする、請求項１または請求項２に記載の水路開閉装置。
【請求項４】
前記水路開閉装置本体の上部に可倒可能に取り付けられる可動部と，前記可動部をその起立位置と倒れた位置との間で駆動する複動式油圧シリンダーとを有することを特徴とする請求項１乃至３のいずれか一つに記載の水路開閉装置。
【請求項５】
前記ジグ固定金物は、ボルトを押通するための第一の貫通孔２２と雌ネジが設けられてなる第二の貫通孔２０を具備し、第一の貫通孔に押通されたボルト２８ｂは、予め前記水路の壁側に設けられてなるメスネジ穴２７に螺合され、第二の貫通孔に螺合されてなるボルト２９は、前記本体固定ジグを前記壁面に押付けることにより、前記固定ジグに一体に取付けられた前記止水ゴムを前記壁側に押付ける機能を有することを特徴とする請求項１乃至４のいずれか一つに記載の水路開閉装置。
【請求項６】
前記合体用金物２４は、ボルトを押通するための第三の貫通孔２３が少なくとも一箇所と雌ネジが設けられてなる第四の貫通孔２５を具備し、第三の貫通孔に押通されたボルト２８ａは、予め前記水路開閉装置本体に設けられてなるメスネジ穴１１に螺合され、第四の貫通孔に螺合されてなるボルト３０は、前記本体固定ジグを前記水路開閉装置本体に押付けることにより、前記本体固定ジグに一体に取付けられた前記止水ゴムを前記水路開閉装置本体に押付ける機能を有することを特徴とする請求項１乃至５のいずれ一つに記載の水路開閉装置。
【請求項７】
請求項３に記載された水路開閉装置を常時流水のある開渠型又は暗渠型水路の復旧部分の上流部分と下流部分にそれぞれ対向するように設置された前記水路開閉装置の中間部分に前記水路開閉装置本体が持つ前記第二の筒管に連結管３８，３９，４０を接続し、前記水路開閉装置本体が持つすべての前記加圧作動開閉耐重圧蓋３を閉鎖すれば、前記開渠型又は暗渠型水路の復旧部分の流水は前記連結管内を流れ、前記水路の復旧部分の上流部分と下流部分にそれぞれ対向するように設置された前記水路開閉装置の中間部分は水のないエリア４５を確保できることを特徴とする水路渇水方法。
【発明の詳細な説明】
【技術分野】
【０００１】本発明は、上水又は下水で常時流水のある断水不可能な開渠型又は暗渠型の流水を止めることなく水路修復工事又は水路の切替え流路変更工事又は水路の耐震補強工事などに使用される水路開閉装置、及び水路開閉装置を使用して前記の工事を行なう作業エリアを渇水状態にできる水路渇水方法に関する。
【背景技術】
【０００２】地震や災害或いは事故等で上水又は下水の管路が損傷した場合、損傷した部分の復旧工事、又は管路が古くなり取替える工事に上水又は下水管の水流を止めずに工事が出来る特許文献１記載の管路開閉装置、又は特許文献２記載の上水又は下水用管路開閉装置と一体化された内導管式加圧作動開閉耐重圧蓋装置を使用した上水又は下水用管路復旧工法がある、また特許文献３記載の筒状可変形導管及び下水用管路仮管工事方法がある。
【特許文献１】特許番号第２９０００２２号
【特許文献２】特開２００７−００２６４４
【特許文献３】特願２００７−２０８５８１
【発明の開示】
【発明が解決しようとする課題】
【０００３】しかしながら、上下水道の上水又は下水の管路が損傷した部分の復旧工事、管路が古くなり取替える工事、又は管路の新設に伴う流路変更工事などに対応した特許文献１記載の上水又は下水用管路復旧工法に使用される管路開閉装置、又は特許文献２記載の上水又は下水用管路開閉装置と一体化された内導管式加圧作動開閉耐重圧蓋装置は共に円形筒状であるため、工事部分の管路が円形の筒型形状にのみ適用するものであり、工事部分の水路の断面形状がＢＯＸ型、卵型、馬蹄型の水路には対応できない問題がある。【０００４】また、近年、都市開発などに伴うインフラストラクチャーの整備で地下鉄工事に伴う水路の移設、新設、又は都市開発に伴う高架橋の高架柱工事に伴う水路の移設、新設、又は地震に備えた古い水路の耐震補強工事は緊急性を要するなど、水路の整備が行われている。前記の工事を行う部分には断水不可能な生活用水・雨水が流れており、さらに水路断面の大きさは水路を流れる最大流量を想定して設計され、構築されていることから、水路断面の大きい水路内の流水は多量になることも考えられる。よって前記の工事を行う場合は多量の流水を想定した方法で作業エリアを渇水状態にする必要があるが、従来の方法では工事部分の管路の断面形状が円形の筒型形状に適用するものであり、ＢＯＸ型、卵型、馬蹄型で多量の流水が想定される水路内の必要な作業エリアを渇水状態にできない問題がある。
【課題を解決するための手段】
【０００５】上記問題を解決するため、常時流水があり、又多量の流水が想定される開渠型又は暗渠型の水路で、それぞれの水路断面に近似する形状を有するパネルからなる水路開閉装置本体（図１、図２、図３）と、前記水路の側壁と前記水路開閉装置本体のいずれにも沿うように配置された本体固定ジグ（図２３、図２４）と、前記本体固定ジグを前記水路側壁に固定するためのジグ固定金物（図６）と、前記水路開閉装置本体と前記本体固定ジグを合体するための合体用金物（図７、図８）を有し、前記水路を閉塞する機能を具備する水路開閉装置を使用すれば、前記水路の復旧しようとする部分の流水を一時せきとめ渇水状態にする、又は流すことができることを特徴とする水路開閉装置を発明した。【０００６】まず、前記水路の側壁２６と前記水路開閉装置本体のいずれにも沿うように配置された前記本体固定ジグは前記本体固定ジグにおける長さ方向に垂直な断面は、前記水路開閉装置本体と前記水路側壁に対向する面を有するＬ字型を呈し、前記水路開閉装置本体側および前記水路側に対向する面のそれぞれに、止水ゴム１９が一体に取付けられている。前記本体固定ジグを前記水路の相対するそれぞれの壁面に固定するためにジグ固定金物を使用する。前記ジグ固定金物は、ボルトを押通するための第一の貫通孔２２と雌ネジが設けられてなる第二の貫通孔２０を具備する。第一の貫通孔に押通されたボルト２８ｂは、予め前記水路の壁側に設けられてなるメスネジ穴２７に螺合され、前記ジグ固定金物は前記水路壁面に固定される。次に、前記水路壁面に固定されたジグ固定金物に本体固定ジグを取付け、ジグ固定金物が具備する第二の貫通孔に螺合されてなるボルト２９を締付ければ、図９に示すように前記本体固定ジグを前記壁面に押付け、前記本体固定ジグに一体に取付けられた前記止水ゴムを前記壁側に押付け圧縮密着し、相対する壁面と相対する壁面にそれぞれ取付けられた前記本体固定ジグの間を閉塞することができる（図１２）。【０００７】次に、前記水路の復旧しょうとする部分の相対する壁面にそれぞれ前記ジグ固定金物で固定された前記本体固定ジグに前記水路開閉装置本体を取付けるために合体用金物を使用する。前記合体用金物はボルトを押通するための第三の貫通孔２３が少なくとも一箇所と雌ネジが設けられてなる第四の貫通孔２５を具備する。まず、図９に示すように前記第三の貫通孔に押通されたボルト２８ａで、予め前記水路開閉装置本体に設けられてなるメスネジ穴１１に螺合し、前記水路開閉装置本体を固定する。次に、前記第四の貫通孔に螺合されてなるボルト３０で、前記本体固定ジグを前記水路開閉装置本体に押付けることにより、前記本体固定ジグに一体に取付けられた前記止水ゴムを前記水路開閉装置本体に押付け、前記本体固定ジグに一体に取付けられた前記止水ゴムと前記水路開閉装置本体は圧縮密着し、前記水路開閉装置本体と前記本体固定ジグの間を閉塞することができる（図１３）。【０００８】前記水路開閉装置本体は前記水路開閉装置本体の下部、または下部及び上部に止水ゴム９，１２が取付けられている。さらに、前記水路開閉装置本体は水路開閉装置本体上部２と水路開閉装置本体下部１を有し、水路開閉装置本体上部２と水路開閉装置本体下部１の接点はちょうつがい１４接続され一体となっている。また前記水路開閉装置本体には水路開閉装置本体上部２と水路開閉装置本体下部１をつなぐ複動式油圧シリンダーが取付け可能な構造が付与され、着脱可能な複動式油圧シリンダー１３が取付けられた状態では、複動式油圧シリンダーの複動力で水路開閉装置本体上部２を垂直まで起こす、又は下方に倒すことができる。【０００９】前記水路が暗渠型の場合は、０００６記載のように、前記本体固定ジグを前記ジグ固定金物とボルトで前記暗渠型水路の復旧しょうとする部分の相対する壁面にそれぞれ固定する（図１２）。そして、０００７記載のように前記本体固定ジグを前記合体用金物とボルトで前記水路開閉装置本体に押付け固定する作業は、０００８に記載された、着脱可能な複動式油圧シリンダー１３を取外し、前記水路開閉装置本体の前記水路開閉装置本体上部２を下方に倒した状態で行う（図１３）。前記作業が完了後、０００８に記載された、前記水路開閉装置本体に着脱可能な複動式油圧シリンダーを取付け、複動式油圧シリンダーの複動力で前記水路開閉装置本体上部２を起こす。前記水路開閉装置本体は前記水路開閉装置本体を取付ける部分の前記暗渠型水路内の天井高さ寸法より前記水路開閉装置本体の高さ寸法を大きくしたことで、前記水路開閉装置本体上部２の上部に取付けられた止水ゴム９が前記暗渠型水路内の天井部分に接触し、さらに前記複動式油圧シリンダーの動力で前記水路開閉装置本体上部２を垂直まで起こすと前記水路開閉装置本体が下方に押付けられ、前記水路開閉装置本体の上部と下部に取付けられた止水ゴム９，１２は、前記暗渠型水路の天井部分と床部分に圧縮密着し、前記水路開閉装置本体と前記暗渠型水路の天井部分と床部分の間を閉塞することができる（図１５）。又前記水路が開渠型の場合は前記水路開閉装置本体の水路開閉装置本体下部１の上部に加重すれば前記水路開閉装置本体と床部分の間を閉塞することができる。【００１０】よって、前記水路が暗渠型の場合は、０００６記載のように、前記本体固定ジグを前記ジグ固定金物とボルトで前記暗渠型水路の復旧しょうとする部分の相対する壁面にそれぞれ固定すれば、前記本体固定ジグに一体に取付けられた前記止水ゴムを前記壁側に押付け圧縮密着し、前記暗渠型水路の復旧しょうとする部分の相対する壁面と前記本体固定ジグの間は閉塞される。次に０００７記載のように前記本体固定ジグを前記合体用金物とボルトで前記水路開閉装置本体に押付ければ、前記本体固定ジグに一体に取付けられた前記止水ゴムと前記水路開閉装置本体は圧縮密着し、前記水路開閉装置本体と前記本体固定ジグの間も閉塞される。次の手順で、０００９記載のように、前記水路開閉装置本体に取付けられた複動式油圧シリンダーの複動力で前記水路開閉装置本体上部２を垂直まで起こせば、前記水路開閉装置本体の上部と下部に取付けられた止水ゴム９，１２は、前記暗渠型水路の天井部分と床部分に圧縮密着し、前記暗渠型水路の天井部分と床部分を閉塞することができる、また前記水路が開渠型の場合は、前記水路開閉装置本体の水路開閉装置本体下部１の上部に加重すれば前記水路開閉装置本体と床部分の間を閉塞することができることで、前記水路の復旧しようとする部分の流水は前記水路開閉装置により遮蔽され、前記水路の流水は一時堰き止めることができる。【００１１】さらに、前記水路開閉装置本体には、すくなくとも１箇所の通水用貫通孔１７と、油圧装置または水圧装置の少なくともいずれかにより前記通水用貫通孔を開閉する機能を具備する加圧作動開閉耐重圧蓋３が、前記通水用貫通孔の部分に補強リブを介して接合されてなる第一の筒管１６に取付けられている。００１０記載のように、前記水路の復旧しようとする部分の流水が前記水路開閉装置により遮蔽された状態で、前記加圧作動開閉耐重圧蓋３を油圧装置または水圧装置の少なくともいずれかにより開放すれば、前記遮蔽されている流水を流すことができる（図１３）。また、前記水路開閉装置本体の持つすべての前記加圧作動開閉耐重圧蓋３を油圧装置または水圧装置の少なくともいずれかにより閉塞すれば、前記流水を遮蔽することができる（図１４）。【００１２】また、前記水路開閉装置の持つ水路開閉装置本体は水路開閉装置本体と補強リブで接合された第二の筒管６を持つ。一対の前記水路開閉装置を図１７に示すように水路の復旧部分のそれぞれの対向する位置に設置し、設置されたそれぞれの前記水路開閉装置本体の持つ前記第二の筒管の中間を図１８にしめすように連結管３８，３９，４０で接続し、一体にできる。【００１３】請求項１から請求項７のいずれかに記載された水路開閉装置を常時流水のある開渠型又は暗渠型水路の復旧部分の上流部分と下流部分に、００１１に記載されている前記水路開閉装置本体に取付けられた前記加圧作動開閉耐重圧蓋３を開放状態にして、図１７に示すように、それぞれ対向するように設置する。次に、００１２記載のように、前記水路開閉装置の中間部分に前記水路開閉装置本体が持つ前記第二の筒管に連結管３８，３９，４０を図１８に示すように接続する。次に、前記水路開閉装置本体が持つすべての前記加圧作動開閉耐重圧蓋１３を閉鎖すれば、前記開渠型又は暗渠型水路の復旧部分の流水は前記連結管内を流れ、前記開渠型又は暗渠型水路の復旧部分の上流部分と下流部分にそれぞれ対向するように設置された前記水路開閉装置の中間部分は水のない渇水エリア４５を確保できることを特徴とする水路渇水方法。
【発明の効果】
【００１４】以上の通り、本発明の水路開閉装置を発明したことにより従来困難であった、常時流水があり、又多量の流水が想定される開渠型水路又は暗渠型水路の復旧工事部分で水路断面に近似する形状を有する水路開閉装置を設置すれば、水路内の流水を止める、又は流すことができるため、水路開閉装置を使用した水路復旧方法で０００４記載の都市開発などに伴うインフラストラクチャーの整備、又は地震に備えた古い水路の耐震補強工事などで常時流水があり、又多量の流水が想定される水路の復旧部分で工事を行うための作業エリアを渇水状態にして安全で衛生的な作業環境を構築できることから、事前に作業手順計画を立案して計画的に水路の復旧部分の工事を進めることが可能となる。
【発明を実施するための最良の形態】
【００１５】以下に、本発明の水路開閉装置を使用した水路復旧方法について説明する、ここでは暗渠型水路の復旧工事作業エリア部分の流水を遮断し、復旧部分の作業エリアを水のない状態にする方法を説明する。また００３２から００４５に記載された説明は水路復旧方法を使用した排水路の流路変更方法である。【００１６】復旧しようとする前記水路４８の上部に図１７に示すように水路開閉装置などを搬入するための開口部４１を設ける、また送風換気用、及び作業員の出入り口用開口部４２を設ける。【００１７】次に、復旧しようとする既設水路内部３１の天井部分に図１０に示すように天井走行ホイスト４３用の天井ホイスト走行ビーム３２を水路開閉装置が設置される範囲に、図１７に示すように設置する。【００１８】次に、天井走行ホイスト４３を図１１、図１７に示すように、天井ホイスト走行ビーム３２に取付ける。【００１９】まず、前記水路の復旧しょうとする部分の上流部と下流部の相対する壁面２６の各所定位置に、図２３、図２４に示す本体固定ジグをジグ固定金物２１で固定するための締付けボルト２８ｂ受け用にメスアンカー２７を打つ。【００２０】次に、天井走行ホイスト４３を使用し、各本体固定ジグを前記水路の復旧しょうとする部分の上流部と下流部の各所定位置まで移動し、０００６に記載されたように、ジグ固定金物２１の第一の貫通孔にボルト２８ｂを押通し、予め前記水路の壁側に設けられてなるメスアンカー２７に螺合して、ジグ固定金物を前記水路壁面の所定位置に固定する。次に、前記水路壁面に固定されたジグ固定金物に本体固定ジグを取付け、ジグ固定金物が具備する第二の貫通孔に螺合されてなるボルト２９を締付け、図９に示すように前記本体固定ジグを前記水路壁面に押付け、前記本体固定ジグに一体に取付けられた前記止水ゴムを前記水路壁側に押付け圧縮密着させ、相対する壁面にそれぞれ固定された本体固定ジグと前記水路壁の間を閉塞する（図１２）。【００２１】次に、前記水路の復旧しょうとする部分の上流部に設置する水路開閉装置本体の水路開閉装置上部２の部分に取付けられた複動式油圧シリンダー１３を取外し、図１４に示すように水路開閉装置上部２をちょうつがい部分１４から折りたたんだ状態で、天井走行ホイスト４３に吊り込む。【００２２】また、００２１に記載された状態で水路開閉装置本体の移動、また据付時は、復旧しようとする前記水路内は常時流水があるため、水路開閉装置本体に取付けられた加圧作動開閉耐重圧蓋３を、図１７に示すように開放状態にして流水の抵抗を少なくして、前記水路の復旧しょうとする部分の上流部と下流部の所定位置の相対する壁面にそれぞれ設置固定された本体固定ジグの位置に移動させる。【００２３】次に、００２０記載のように設置固定された本体固定ジグと水路開閉装置本体を仮合体して、０００７に記載のように、合体用金物の第三の貫通孔にボルト２８ａを押通し、予め水路開閉装置本体に設けられてなるメスネジ穴１１に螺合し、水路開閉装置本体を本体固定ジグに仮固定する。次に、第四の貫通孔に螺合されてなるボルト３０で、本体固定ジグを水路開閉装置本体に押付仮固定する。（図１３）【００２４】次に、締付け用ボルト受け金物を持つ連結管（左）３８、締付け用ボルト受け金物を持つ連結管（右）４０及び押し輪接続用連結管３９を天井走行ホイスト４３で移動し、図１７に示す位置に仮置きする。【００２５】次に、前記水路の復旧しょうとする部分の下流部に設置する水路開閉装置本体を前記００２１から００２３に記載された手順と同様の作業を行えば図１７に示すように、前記水路の復旧しょうとする部分の上流部と下流部にそれぞれ水路開閉装置が設置された状態となる。【００２６】次に、図１７に示すように設置された２台の水路開閉装置の間に連結管３８、４０と押し輪接続用連結管３９を天井走行ホイスト４３を使用して組立てる。【００２７】まず、図２２に示すように、水路開閉装置本体の持つ第二の筒管６部分と締付け用ボルト受け金物５３を持つ連結管（左）３８を締付け用ボルト金物５２で接続締付けする、また、他方の水路開閉装置本体の持つ第二の筒管６部分と締付け用ボルト金物５３を持つ連結管（右）４０を締付け用ボルト金物５２で接続締付けし、さらに連結管（左）３８と連結管（右）４０の接合部分にそれぞれ押し輪止水ゴム５７をはめ込み、押し輪リング５５と一体化された片側自在固定締付け用ボルト受け５６と押し輪接続用連結管３９に一体化された片側自在固定締付け用ボルト５４で接続締付けすれば、両端の水路開閉装置本体、連結管（左）３８、押し輪接続用連結管３９と連結管（右）４０は止水された接続で一体化し、図１８に示すようになる。【００２８】次に、天井走行ホイスト用レール３２を図１８に示す位置まで取外す。【００２９】次に、前記水路の復旧しょうとする部分の上流部と下流部に設置されたそれぞれの水路開閉装置の水路開閉装置上部２を手動で起こし、取外された複動式油圧シリンダー１３を再度取付け、０００８に記載された、水路開閉装置本体に取付けられた複動式油圧シリンダーの複動力で水路開閉装置本体上部２を起こす。水路開閉装置本体は水路開閉装置本体を取付ける部分の前記水路内の天井高さ寸法より水路開閉装置本体の高さ寸法を大きくしたことで、水路開閉装置本体上部２の上部に取付けられた止水ゴム９が前記水路内の天井部分に接触し、さらに複動式油圧シリンダーの複動力で水路開閉装置本体上部２を垂直まで起こすと水路開閉装置本体が下方に押付けられ、水路開閉装置本体の上部と下部に取付けられた止水ゴム９，１２は、前記水路の天井部分と床部分に圧縮密着し、水路開閉装置本体と前記水路の天井部分と床部分の間を閉塞する（図１５）。【００３０】次に、００２３に記載された、合体用金物の第四の貫通孔２５に螺合されてなるボルト３０で、本体固定ジグを水路開閉装置本体に押付、仮固定された部分のボルト３０を本締めする。本体固定ジグに一体に取付けられた止水ゴムは水路開閉装置本体に押付けられ、本体固定ジグに一体に取付けられた止水ゴムと水路開閉装置本体は圧縮密着し、水路開閉装置本体と本体固定ジグの間を閉塞する。これで復旧しようとする前記水路の天井、床、両壁面の四方は本体固定ジグと水路開閉装置本体により止水される。【００３１】次に、前記水路の復旧しょうとする部分の上流部と下流部に設置されたそれぞれの水路開閉装置本体が持つすべての加圧作動開閉耐重圧蓋１３を閉鎖すれば、前記水路の復旧部分の流水は連結管内を流れ、前記水路の復旧部分の上流部分と下流部分にそれぞれ対向するように設置された水路開閉装置間の残留水を排除すれば、復旧工事作業エリア部分４５は水のない状態にとなり、図１８のようになる。【００３２】また、前記の水路復旧方法を使用して、断水できない既設水路の流水を確保しながら新設水路を既設水路に接続して、既設水路から新設水路へ流路変更する方法について以下００３３から００４５記載する。【００３３】図１９に示すように、既設水路４８に新設水路４９を接続するため、既設水路と新設水路の接続部分の流水をなくし、作業エリア５０を確保する必要がある。まず図１９に示すように水路復旧方法を使用して作業エリア５０を確保できる長さの仮排水路４７を設置する。【００３４】次に、図１９に示すように、仮排水路４７の両端が接合する既設水路４８の上流部分と下流部分で水路渇水方法００１６から００３１に記載された作業と同じ作業を行い、図１９に示すように、水のない作業エリア４５を既設水路の上流部分と下流部分につくる。【００３５】次に、仮排水路４７と既設水路４８の接合部分の上流部分と下流部分の水のない作業エリア４５部分の既設水路の壁５１を解体して、仮排水路４７に流水を切替える準備をする。【００３６】まず、図１９に示すように、既設水路４８の下流部分に設置された水路開閉装置本体４６Ａと水路開閉装置本体４６Ｂが持つすべての加圧作動開閉耐重圧蓋３を開放状態にして流水させる。【００３７】次に、既設水路４８の下流部分に設置された水路開閉装置本体４６Ａと水路開閉装置本体４６Ｂに連結されている、連結管３８、３９、４０、を取外す。【００３８】次に、既設水路４８の下流部分に設置された水路開閉装置本体４６Ｂを取外す。【００３９】同様に、図１９に示すように、既設水路４８の上流部分に設置された水路開閉装置本体４６Ａと水路開閉装置本体４６Ｂが持つすべての加圧作動開閉耐重圧蓋３を開放状態にして流水させる。【００４０】次に、既設水路４８の上流部分に設置された水路開閉装置本体４６Ａと水路開閉装置本体４６Ｂに連結されている、連結管３８、３９、４０、を取外す。【００４１】次に、既設水路４８の上流部分に設置された水路開閉装置本体４６Ａを取外す。【００４２】次に、既設水路４８の上流部分にある水路開閉装置本体４６Ｂと下流部分の水路開閉装置本体４６Ａに取付けられた第二の筒管６部分を密閉蓋で塞ぎ、前記の各加圧作動開閉耐重圧蓋を閉鎖すれば、図２０に示すように既設水路の流水は仮排水路４７を流れ、作業エリア５０部分の残留水を除けば、既設水路４８と新設水路４９の接続部分は水のない作業エリア５０が確保される。【００４３】前記作業により、水のない作業エリア５０で新設水路４９が構築され既設水路４８に接合される。【００４４】次に、新設水路４９が構築され既設水路４８に接合工事が完了後、既設水路と仮排水路の接合部分の上流側に開けた開口部分の壁を復旧する、復旧方法は、まず既設水路４８の上流部分に設置されている水路開閉装置本体４６Ｂの持つすべての加圧作動開閉耐重圧蓋３を開放し、新設水路へ流水する。【００４５】次に、図１９に示されたように、既設水路と仮排水路の接合部分の上流側に開けた開口部分５１の壁復旧作業エリア部分を前記作業と同様に水路渇水方法を使用して、水のない作業エリアを確保して、既設水路の上流部分に空けた開口部分の壁を復旧し、水路渇水方法の機材をすべて取外せば流路変更工事は図２１に示すように完了する。
【産業上の利用可能性】
【００４６】近年、環境問題が重要課題として取上げられておりますが、歴史の長い上下水道の老朽化問題も環境問題の重要な一環です、また、地震に備えた耐震補強の必要性は下水道も同様であり、特に大型ボックスカルバートの耐震補強は緊急性を要するなど、都市開発などに伴うインフラストラクチャーの整備は、市民の生活に欠かせないライフラインとして、今後も整備が多く行われていくと考えられます、これらの下水道整備の大きな問題は、生活用水のため断水不可能な状態で、工事を行わなければならず、とくに雨水と汚水が合流して流れる下水道の工事は工事部分の流量が多く、さらに、天候に左右されるため困難を伴う工事もあります、この様な状況の工事に対し本発明の水路復旧方法が活用できるため産業上の利用価値が大きい。
【図面の簡単な説明】
【００４７】
【図１】水路開閉装置本体４６正面図である。
【図２】水路開閉装置本体４６側面図である。
【図３】水路開閉装置本体４６背面図である。
【図４】水路開閉装置本体固定ジグの正面図である。（本体固定ジグと呼ぶ）
【図５】水路開閉装置本体固定ジグの断面図である。
【図６】水路開閉装置本体固定ジグ固定金物の姿図である。（ジグ固定金物と呼ぶ）
【図７】本体固定ジグと水路開閉装置本体を一体化させる合体用金物の平面図である。（合体用金物と呼ぶ）
【図８】図７合体用金物の側面図である。
【図９】復旧部分の水路にジグ固定金物で本体固定ジグを取付け、本体固定ジグに合体用金物で水路開閉装置本体を取付けた状態の部分断面図である。
0005066658.tif 000002
【図１８】復旧部分の水路に水路開閉装置を取付け、作業エリアを水のない状態にした場合の図である。
【図１９】既設水路に仮排水路を設け、既設水路と仮排水路の接続部分に図１８のように水路開閉装置及び連結用筒状管をセットした図である。
【図２０】既設水路の流水を既設水路から仮排水路の流路変更した図である。
【図２１】新設水路の構築が完了し、既設排水路と新設排水路が接続された図である。
【図２２】水路開閉装置及び連結管をセットした詳細断面図である。
【図２３】本体固定ジグの平面図である。
【図２４】本体固定ジグの４面展開図である。
【符号の説明】
【００４８】  １  水路開閉装置下部
２  水路開閉装置上部（可動部）
３  加圧作動開閉耐重圧蓋
４  補強されたちょうつがい
５  複動式油圧シリンダー（加圧作動開閉耐重圧蓋の開閉用）
６  連結管接続用の筒管（第二の筒管）
７  つなぎ補強リブ（表部分）
８  孔（連結管接続用貫通孔）
９  上部止水ゴム
１０  吊りピース
１１  合体金物ボルト受け（メス）
１２  下部止水ゴム
１３  複動式油圧シリンダー（本体の上部２折りたたみ用）
１４  補強されたちょうつがい（本体の上部２折りたたみ用）
１５  つなぎ補強リブ（裏部分）
１６  鋼管（開放孔）（第一の筒管）
１７  孔（通水丸穴）（通水用貫通孔）
１８  Ｌ型鋼材
１９  止水ゴム
２０  ボルト受け（メス）（第二の貫通孔）
２１  ジグ固定金物
２２  丸穴（第一の貫通孔）
２３  丸穴（第三の貫通孔）
２４  合体用金物
２５  ボルト受け（メス）（第四の貫通孔）
２６  水路壁部分
２７  ホールインアンカー
２８ａ  締付けボルト
２８ｂ  締付けボルト
２９  本体固定ジグ締付け用ボルト
３０  水路開閉装置本体締付け用ボルト
３１  水路内部
３２  天井ホイスト走行用ビーム
３３  電動ホイスト
３４  ホイスト
３５  チェーンブロック
３６  ビーム
３７  吊フック
３８  締付け用ボルト受け金物を持つ連結用筒状管（左）
３９  押し輪接続用筒状管
４０  締付け用ボルト受け金物を持つ連結用筒状管（右）
４１  搬入用開口部
４２  開口部（送風用）
４３  天井走行ホイスト本体
４４  流水
４５  水のない作業エリア部分
４６  水路開閉装置本体
４６Ａ  上流部分水路開閉装置本体
４６Ｂ  下流部分水路開閉装置本体
４７  仮排水路
４８  既設水路
４９  新設水路
５０  既設水路と新設水路の接続作業エリア
５１  既設水路と仮排水路の接続部分の壁（壁を解体する部分）
５２  締付け用ボルト金物
５３  締付け用ボルト受け金物
５４  片側自在固定締付け用ボルト
５５  押し輪リング
５６  片側自在固定締付け用ボルト受け
５７  押し輪止水ゴム
【図１】
0005066658.tif 000003
【図２】
0005066658.tif 000004
【図３】
0005066658.tif 000005
【図４】
0005066658.tif 000006
【図５】
0005066658.tif 000007
【図６】
0005066658.tif 000008
【図７】
0005066658.tif 000009
【図８】
0005066658.tif 000010
【図９】
0005066658.tif 000011
【図１０】
0005066658.tif 000012
【図１１】
0005066658.tif 000013
【図１２】
0005066658.tif 000014
【図１３】
0005066658.tif 000015
【図１４】
0005066658.tif 000016
【図１５】
0005066658.tif 000017
【図１６】
0005066658.tif 000018
【図１７】
0005066658.tif 000019
【図１８】
0005066658.tif 000020
【図１９】
0005066658.tif 000021
【図２０】
0005066658.tif 000022
【図２１】
0005066658.tif 000023
【図２２】
0005066658.tif 000024
【図２３】
0005066658.tif 000025
【図２４】
0005066658.tif 000026